(57)【要約】      （修正有）【課題】熱風の循環がスムーズに行えて加熱むらが抑制でき、調理の仕上がり具合が良好な加熱調理器を提供する。【解決手段】被調理物を収容する、前面が開口した加熱庫と、加熱庫の前面開口を閉塞する扉体と、加熱庫内で、被調理物を間接的あるいは直接的に載置する受け皿３０と、被調理物を上方から加熱する第１の加熱手段１４と、被調理物を下方から加熱する第２の加熱手段２０と、を備え、受け皿３０は、扉体に近い側を前側として、上方からみて４辺を有する四角形状をしており、その各辺に底面から立ち上がる側壁が設けられ、前側側壁は、その対辺となる後側側壁よりも高さを高くした。【選択図】図３
2015232422.tif 000002
【特許請求の範囲】
【請求項１】
被調理物を収容する、前面が開口した加熱庫と、
該加熱庫の前記前面開口を閉塞する扉体と、
前記加熱庫内で、前記被調理物を間接的あるいは直接的に載置する受け皿と、
前記被調理物を上方から加熱する第１の加熱手段と、
前記被調理物を下方から加熱する第２の加熱手段と、を備え、
前記受け皿は、前記扉体に近い側を前側として、上方からみて４辺を有する四角形状をしており、その各辺に底面から立ち上がる側壁が設けられ、前側側壁は、その対辺となる後側側壁よりも高さを高くしたことを特徴とする加熱調理器。
【請求項２】
前記扉体は、前記受け皿を前記加熱庫内から引き出すためのハンドルを備え、前記前側側壁の最高点は、前記ハンドルの位置よりも高さを高くしたことを特徴とする請求項１に記載の加熱調理器。
【請求項３】
前記扉体は、前記加熱庫内を視認するための窓部を備え、前記前側側壁の最高点は、前記窓部の最下端よりも高さを低くしたことを特徴とする請求項１あるいは請求項２何れかに記載の加熱調理器。
【請求項４】
前記第２の加熱手段は熱風循環式の加熱手段であり、前記加熱庫の前記前面開口と対向する後面に熱風循環用の吹き出し口が設けられ、該吹き出し口の高さは、前記受け皿の前記後側側壁よりも高く、前記前側側壁よりも低い位置に設けられていることを特徴とする請求項１〜請求項３何れか１項に記載の加熱調理器。
【請求項５】
前記吹き出し口は、前記受け皿の前記後側側壁よりも前側に突出する風向部材を備えることを特徴とする請求項４に記載の加熱調理器。
【請求項６】
前記風向部材は、少なくとも前記吹き出し口の上方に設けられた上風向部材と、前記吹き出し口の下方に設けられた下風向部材と、を備え、
前記上風向部材は、前記下風向部材よりも前方へ突出し、前記受け皿の底面方向へ向けて傾斜していることを特徴とする請求項５に記載の加熱調理器。
【請求項７】
前記受け皿の左側側壁及び右側側壁は、前記後側側壁から前記前側側壁に向かって傾斜していることを特徴とする請求項１〜請求項６何れか１項に記載の加熱調理器。
【請求項８】
前記受け皿の底面は、後側から前側に向かって狭くしたことを特徴とする請求項１〜請求項７何れか１項に記載の加熱調理器。
【請求項９】
前記受け皿には、底面の前後方向に延び、底面から上方へ突出する複数の上向き凸形状が設けられ、前記左側側壁及び右側側壁寄りの前記上向き凸形状を、中央寄りの前記上向き凸形状よりも長くしたことを特徴とする請求項１〜請求項８何れか１項に記載の加熱調理器。
【請求項１０】
前記受け皿には、底面の前後方向に延び、底面から下方へ突出する複数の下向き凸形状が設けられ、該下向き凸形状は後側から前側に向かって浅くなるように傾斜していることを特徴とする請求項１〜請求項９何れか１項に記載の加熱調理器。
【請求項１１】
前記受け皿には、前記加熱庫内への誤った配置を防止するための誤配置防止手段を備えたことを特徴とする請求項１〜請求項１０何れか１項に記載の加熱調理器。
【発明の詳細な説明】
【技術分野】
【０００１】
本発明は、被調理物を収容する加熱庫を備えた加熱調理器に関する。
【背景技術】
【０００２】
加熱庫内に被調理物を収容して加熱調理を行う加熱調理器には、輻射式の加熱手段により被調理物を加熱するものや、加熱庫内に熱風や蒸気を循環させるコンベクション式の加熱手段により被調理物を加熱するものがある。
【０００３】
加熱庫内に熱風や蒸気を循環させる熱風循環（コンベクション）式の加熱手段により被調理物を加熱するものでは、特許文献１のように熱風や蒸気を被調理物の表面に流れるように噴き出すことで、被調理物を加熱することができる。
【先行技術文献】
【特許文献】
【０００４】
【特許文献１】特開２０１３−１９５９４号公報（第７頁、図２）
【発明の概要】
【発明が解決しようとする課題】
【０００５】
しかしながら、特許文献１に記載の従来の加熱調理器では、熱風の吹き出し口付近では風速が早いので方向性があるが、その後は拡散してしまい、拡散することで熱風の循環がスムーズにいかず、それにより加熱むらが生じ、被調理物の焼き色が不均一になり調理の仕上がり具合が悪くなる、という課題がある。
【０００６】
本発明は、以上のような課題を解決するためになされたもので、熱風の循環がスムーズに行えて加熱むらが抑制でき、調理の仕上がり具合が良好な加熱調理器を提供することを目的とする。
【課題を解決するための手段】
【０００７】
課題を解決する本発明に係る加熱調理器は、被調理物を収容する、前面が開口した加熱庫と、加熱庫の前面開口を閉塞する扉体と、加熱庫内で、被調理物を間接的あるいは直接的に載置する受け皿と、被調理物を上方から加熱する第１の加熱手段と、被調理物を下方から加熱する第２の加熱手段と、を備え、受け皿は、扉体に近い側を前側として、上方からみて４辺を有する四角形状をしており、その各辺に底面から立ち上がる側壁が設けられ、前側側壁は、その対辺となる後側側壁よりも高さを高くしたものである。
【発明の効果】
【０００８】
本発明に係る加熱調理器の受け皿は、扉体に近い側を前側として、上方からみて４辺を有する四角形状をしており、その各辺に底面から立ち上がる側壁が設けられ、前側側壁は、その対辺となる後側側壁よりも高さを高くしたので、加熱庫の後側から噴き出される熱風循環（コンベクション）式の加熱手段の熱風が、受け皿前側の側壁により加熱庫上方へ流れるようになり、熱風の循環がスムーズに行えるようになるので、被調理物がむらなく加熱できて、調理の仕上りが良好となる。
【図面の簡単な説明】
【０００９】
【図１】本発明の実施の形態１に係る加熱調理器の全体を示す斜視図である。
【図２】本発明の実施の形態１に係る加熱調理器の加熱庫の扉体を引き出した状態の１実施例の斜視図である。
【図３】図１に示す線Ｚ−Ｚで切断した本発明の実施の形態１に係る加熱調理器を側面側から見た断面図である。
【図４】図１に示す線Ｙ−Ｙで切断した本発明の実施の形態１に係る加熱調理器の加熱庫を前面側から見た断面図である。
【図５】（ａ）熱風循環式の加熱手段（第２の加熱手段）の斜視図、（ｂ）熱風循環式の加熱手段（第２の加熱手段）を前面側から見た図である。
【図６】（ａ）図３の断面図の扉体寄りの要部拡大図、（ｂ）図３の断面図の熱風循環式の加熱手段寄りの要部拡大図である。
【図７】（ａ）本発明の実施の形態１に係る加熱調理器の加熱庫内に載置される受け皿を上面側から見た図、（ｂ）本発明の実施の形態１に係る加熱調理器の加熱庫内に載置される受け皿を側面側から見た図である。
【図８】（ａ）受け皿底面の凸形状の長さの違いを表した図、（ｂ）受け皿底面の熱風の流れを表した図である。
【図９】（ａ）受け皿底面の下向き凸形状の位置で切断した側面側から見た断面図、（ｂ）受け皿底面に被加熱物を直接載置したときの熱風の流れを表した図である。
【図１０】本発明の実施の形態１に係る加熱調理器の加熱庫内に受け皿を前後逆向きにいれた状態の側面側から見た断面図である。
【図１１】本発明の実施の形態１に係る加熱調理器の加熱庫の扉体を引き出した状態の他の実施例の斜視図である。
【発明を実施するための形態】
【００１０】
実施の形態１．
（全体の構成）
図１は本発明の実施の形態１に係る加熱調理器の全体を示す斜視図、図２は本発明の実施の形態１に係る加熱調理器の加熱庫の扉体を引き出した状態の１実施例の斜視図、図３は図１に示す線Ｚ−Ｚで切断した本発明の実施の形態１に係る加熱調理器を側面側から見た断面図、図４は図１に示す線Ｙ−Ｙで切断した本発明の実施の形態１に係る加熱調理器の加熱庫を前面側から見た断面図、図５（ａ）は熱風循環式の加熱手段（第２の加熱手段）の斜視図、図５（ｂ）は熱風循環式の加熱手段（第２の加熱手段）を前面側から見た図である。
【００１１】
以下、図１〜図５により本発明の実施の形態１に係る加熱調理器全体の概略構成を説明する。なお、それぞれの図において、同じ部分または相当する部分には同じ符号を付し、一部の説明を省略する場合がある。
【００１２】
図１に示すように、本発明の実施の形態１の加熱調理器１００は、本体１の天面に鍋等の調理容器が載置可能な非磁性体、例えば結晶化ガラスからなるトッププレート２ｂと、その外周に図示しないシリコン系接着剤等で固着された金属、例えばステンレスで構成された枠体２ａを備えてなる天板２を備えている。
【００１３】
天板２は、前側に各種の操作入力を行う天板操作部５を備えている。天板操作部５には
複数の操作スイッチ５１が設けられている。なお、天板操作部５であるが、この実施の形態では枠体２ａに設けられている例を示しているが、これに限定されるものではなく、トッププレート２ｂに静電スイッチのようなタッチ式のスイッチで設けられていてもよい。  
【００１４】
また、トッププレート２ｂには鍋等の調理容器を載置する加熱口を示す左加熱口３ａ、右加熱口３ｂ、中央加熱口３ｃが設けられており、印刷等の表示で示されている。その各加熱口に対応して、トッププレート２ｂ下方の本体１内には、図示しない左加熱手段、右加熱手段、中央加熱手段が配設されている。
【００１５】
このように加熱口が３つ設けられたものは３口タイプの加熱調理器と呼ばれるもので、加熱口に対応する加熱手段は、例えば、３口それぞれが誘導加熱コイルからなる誘導加熱手段とした構成や、その３口の内の１口を誘導加熱手段ではない加熱手段、例えばラジエントヒーターのような電熱線からなる輻射式加熱手段とした構成としてもよく、適宜組合せることが可能である。
【００１６】
それから、トッププレート２ｂの前側には左加熱口３ａ、右加熱口３ｂ、中央加熱口３ｃの設定条件や調理の経過状況等を表示する左加熱口用表示部６ａ、右加熱口用表示部６ｂ、総合表示部６ｃが設けられている。
【００１７】
総合表示部６ｃは、中央加熱口３ｃの設定条件や調理の経過状況等を表示するだけではなく、後述する庫内に魚等の被調理物を収容して、グリル調理やオーブン調理のような加熱調理をする加熱庫９の設定条件や調理の経過状況等も表示するようになっている。
【００１８】
中央加熱口３ｃと加熱庫９が同時に使用されている場合は、それぞれの設定条件や調理の経過状況等を交互に表示するようにしてもよいし、区分けされた表示位置にそれぞれの設定条件や調理の経過状況等を同時に表示するようにしてもよい。
【００１９】
左加熱口用表示部６ａ、右加熱口用表示部６ｂ、総合表示部６ｃに対応して、トッププレート２ｂ下方の本体１内には、図示しない基板に搭載された表示手段が設けられている。表示手段は液晶（ＬＣＤ）によるものや、有機電界発光（Ｅｌｅｃｔｒｏ  Ｌｕｍｉｎｅｓｃｅｎｃｅ：ＥＬ）素子などによるものが使用される。
【００２０】
次に、本体１の前面には、前面操作部４が設けられている。前面操作部４には、加熱調理器の電源を入り切りする電源スイッチ４１、それぞれの加熱口の火力を調整するための左加熱口火力調整ノブ４ａ、右加熱口火力調整ノブ４ｂ、中央加熱口火力調整ノブ４ｃが備えられている。
【００２１】
天板２の下方で前面操作部４の後方には、電子部品から構成された制御手段を内包した制御基板（図示せず）、さらに、スイッチング素子（図示せず）や整流回路（図示せず）、その他電子部品（図示せず）から構成されたそれぞれの加熱手段用インバーター回路を内包したインバーター基板（図示せず）、後述する加熱庫９の加熱手段である上ヒーター（第１の加熱手段）１４及び熱風循環式加熱手段（第２の加熱手段）２０に電力を供給する電源基板（図示せず）が配設されている。
【００２２】
前面操作部４の並びに扉体７が設けられている。扉体７は図２に示すように、前面が開口した加熱庫９の前面を閉塞するためのもので、加熱庫９内に取付けられた左固定レール１１ａ及び右固定レール１１ｂ（図４参照）、左固定レール１１ａと対となる左可動レール１０ａ、右固定レール１１ｂと対となる右可動レール１０ｂによって、開閉自在に取付けられている。
【００２３】
なお、本実施の形態では、扉体をレールで引き出す例で説明しているが、これに限定されるものではなく、レールを用いない構成、例えば、図１１のように扉体に受け皿を直接取付けて、受け皿を加熱庫内に収容するような構成でもよい。
【００２４】
扉体７は、扉体７に設けられたハンドル７ａに手を掛けて引き出せるようになっていて、その引き出しに連動して、被調理物を載置する焼き網６０と焼き網６０を載置する受け皿３０を引き出せるようになっている。
【００２５】
受け皿３０は、左可動レール１０ａと右可動レール１０ｂを連結する可動レール連結兼用受け皿支持部材１２ａと可動レール連結兼用受け皿支持部材１２ｂによって支持され、扉体７の引き出しに連動して加熱庫９の外へ引き出され、押し込みに連動して加熱庫９内へ収容される。
【００２６】
図３に示すように、扉体７を最も押し込んだ状態で、扉体７の加熱庫９の前面開口と対向する側に設けられたパッキン７ｄにより加熱庫９の前面開口が閉塞され、加熱庫９で調理が行える状態となる。
【００２７】
加熱庫９の加熱手段は、加熱庫９の上面付近に設けられた、焼き網６０に載置された被調理物を上方から加熱するための輻射式の加熱手段である上ヒーター（第１の加熱手段）１４と、本体後方に設けられた、被加熱物を主に下方から加熱するための熱風循環（コンベクション）式の加熱手段（第２の加熱手段）２０である。
【００２８】
熱風循環（コンベクション）式の加熱手段（第２の加熱手段）２０は、空気を加熱する輻射式の熱風循環用ヒーター２１と加熱された空気を送風、循環させるためのファン２３及びそのファン２３を駆動するモーター２２を備えている。
【００２９】
モーター２２はモーターケース２６に収容されていて、モーターケース２６内には、モーター２２を冷却する図示しない冷却手段が設けられている。モーター２２の回動軸に取付けられたファン２３は、ファンケース２４とヒーター支持板２７で囲われた空間、ファン・ヒーター室２８に収容されている。
【００３０】
熱風循環用ヒーター２１は、ファン２３の外周を囲うようにヒーター支持板２７に取付けられていている。ファンケース２４には、加熱庫９背面に設けられた背面吸気口１８と連通するファンケース吸気口２４ａが設けられている。
【００３１】
モーター２２の駆動によりファン２３が回転すると、ファンケース吸気口２４ａから加熱庫９内の空気が吸気され、熱風循環用ヒーター２１により加熱され熱風となり、ファンケース２４に設けられたファンケース吹き出し口２４ｂから加熱庫９内へ供給される。
【００３２】
また、一部の空気はヒーター支持板２７に設けられた連通口２９から排出され、排気ダクト２５を通過して天板２に設けられた排気口２ｃから本体１外へ排出される。排気口２ｃは、空気が流通可能な排気口カバー８ａ、８ｂで覆われている（図１参照）。
【００３３】
図３、４に示すように、加熱庫９の上面外側にはランプヒーター１３が取付けられていて、上面に設けられた複数の小穴（図示せず）から加熱庫９内を照らすことができるようになっている。
【００３４】
扉体７の前面上方には前面ガラス７ｂが取付けられており、前面ガラス７ｂは窓部７ｃを除き裏面側に塗装されている。窓部７ｃは透明であり、そこから庫内を見ることができ、ランプヒーター１３で照らすことによって、調理の仕上り具合が確認できる。後述する受け皿３０の前側側壁３２ａは、その最も高い位置が窓部７ｃの最も低い位置よりも高さが低くなっているので、前側側壁３２ａが調理の仕上り具合を確認する上で邪魔になることはない。
【００３５】
加熱庫９の上面には加熱庫９内に吹き出された熱風を回収する循環風吸気口１５が設けられている。循環風吸気口１５は加熱庫９の上面が加熱庫９内に突出するように形成され、そこに複数の小穴が設けられて熱風が通過するようになっている。
【００３６】
循環風吸気口１５を通過した熱風は一度加熱庫９外へ出て、循環風吸気口１５の加熱庫９の庫外に配設された触媒１６を通過して煙や臭いが取り除かれた後、上面ダクト１７ａ内を通り、背面ダクト１７ｂを経由して加熱庫９背面に設けられた背面吸気口１８と連通するファンケース吸気口２４ａを通ってファン・ヒーター室２８に送られる。
【００３７】
この後、受け皿３０の構成を説明した後、さらに詳しく熱風の流れを説明する。
図７（ａ）は本発明の実施の形態１に係る加熱調理器の加熱庫内に載置される受け皿を上面側から見た図、図７（ｂ）本発明の実施の形態１に係る加熱調理器の加熱庫内に載置される受け皿を側面側から見た図、図８（ａ）受け皿底面の凸形状の長さの違いを表した図、図８（ｂ）受け皿底面の熱風の流れを表した図、図９（ａ）受け皿底面の下向き凸形状の位置で切断した側面側から見た断面図、図９（ｂ）受け皿底面に被加熱物を直接載置したときの熱風の流れを表した図である。
【００３８】
受け皿３０は上面から見て前後が長い四角形状をしており、底面３１の４辺からそれぞれ前側側壁３２ａ、後側側壁３２ｂ、左側側壁３２ｃ、右側側壁３２ｄ、が立ち上がっている。底面３１は台形になっており、底面３１の扉体７寄りの前側の幅Ｈが、加熱庫９背面寄りの後側の幅Ｉよりも狭くなっている。
【００３９】
扉体７寄りの前側側壁３２ａの高さＫは、加熱庫９背面寄りの後側側壁３２ｂの高さＪよりも高くなっている。左側側壁３２ｃ及び右側側壁３２ｄは、前側側壁３２ａと後側側壁３２ｂを結び後方から前方に向かって昇るように傾斜している。
【００４０】
また、前側側壁３２ａ、後側側壁３２ｂ、左側側壁３２ｃ、右側側壁３２ｄはそれぞれ底面３１から外側へ拡がるように傾斜しながら立ち上がっている。前側側壁３２ａ、後側側壁３２ｂ、左側側壁３２ｃ、右側側壁３２ｄが立ち上がった先端には、それぞれ前側フランジ３６ａ、後側フランジ３６ｂ、左側フランジ３６ｃ、右側フランジ３６ｄの平坦部が設けられている。
【００４１】
それから、底面３１には底面３１を基準として、その面よりも上方に突出する凸形状が設けられている。左側側壁３２ｃ寄りに外側上向き凸形状３３ａ、右側側壁３２ｄ寄りに外側上向き凸形状３３ｂ、それらの内側に内側上向き凸形状３４ａ及び内側上向き凸形状３４ｂがそれぞれ設けられている。
【００４２】
同形状である外側上向き凸形状３３ａ及び外側上向き凸形状３３ｂの長さＭは、同形状である内側上向き凸形状３４ａ及び内側上向き凸形状３４ｂの長さＬよりも長くなっている。
【００４３】
それぞれの上向き凸形状の間には、底面３１を基準として、その面よりも下方に突出する凸形状が設けられている。外側上向き凸形状３３ａと内側上向き凸形状３４ａの間には下向き凸形状３５ａ、内側上向き凸形状３４ａと内側上向き凸形状３４ｂの間には下向き凸形状３５ｂ、内側上向き凸形状３４ｂと外側上向き凸形状３３ｂの間には下向き凸形状３５ｃがそれぞれ設けられている。
【００４４】
下向き凸形状３５ａ、３５ｂ、３５ｃは同形状であり、図９（ａ）に示すように後方から前方へ向かって浅くなるように傾斜している。下向き凸形状３５ａ、３５ｂ、３５ｃは傾斜しているので平面に置くと受け皿のバランスが悪くなる。そのため、底面３１から下方に突出する円形下向き凸形状３８ａ、３８ｂが設けられ、平面に置いたときのバランスが悪くならないようにしている。
【００４５】
受け皿３０の構成を基に、加熱庫９内の熱風の流れを詳しく説明すると、ファン・ヒーター室２８に吸気された空気は、熱風循環用ヒーター２１により加熱されてファン・ヒーター室２８を通過しながら熱風となる。
【００４６】
熱風は、モーター２２の駆動により回転するファン２３によって送風され、前述したファンケース吹き出し口２４ｂから、加熱庫９の背面に設けられてファンケース吹き出し口２４ｂと連通する背面吹き出し口１９から加熱庫９内へ供給される。
【００４７】
背面吹き出し口１９の周りには、熱風の風向きを整える風向部材が設けられている。図４に示すように、背面吹き出し口１９の上方には上風向部材１９ａ、下方には下風向部材１９ｂ、加熱庫９を前面からみたとき左側には左風向部材１９ｃ、右側には右風向部材１９ｄというように設けられている。
【００４８】
図３、図４に示すように、背面吹き出し口１９及び各風向部材１９ａ〜１９ｄは、受け皿３０の後側側壁３２ｂよりも高い位置になるように設けられている。図６（ｂ）を基に詳しくいうと、下風向部材１９ｂの加熱庫９の底面からの高さＧは、後側側壁３２ｂの加熱庫９の底面からの高さＦよりも高い位置となっている。
【００４９】
また、背面吹き出し口１９及び各風向部材１９ａ〜１９ｄは、受け皿３０の前側側壁３２ａよりも低い位置になるように設けられている。言い換えると、背面吹き出し口１９及び各風向部材１９ａ〜１９ｄよりも前側側壁３２ａが高くなる。
【００５０】
よって、扉体７に熱風が直接当たりにくくなることから、図６（ａ）に示すように、基準位置から前側側壁３２ａまでの高さＤよりも、ハンドル７ａの一番高い位置までの高さＣの低い位置に設けられたハンドル７ａの手掛け部７１の温度上昇は抑制されることになる。
【００５１】
それから、背面吹き出し口１９の上方に設けられた上風向部材１９ａは、図３及び図６（ｂ）に示すように、受け皿３０の後側側壁３２ｂよりも前側に突出している。さらに、上風向部材１９ａは下風向部材１９ｂよりも前側に突出していて、途中から受け皿３０の底面３１方向に向けて傾斜していて、熱風が受け皿３０の中へ流れやすくなっている。
【００５２】
受け皿３０の中へ流れた熱風は、側面方向から見ると、図３に示すように扉体７寄りの前方まで流れる。背面吹き出し口１９は前側側壁３２ａよりも低い位置にあり、さらに上風向部材１９ａによって底面３１方向に向けて流れるので、熱風は前側側壁３２ａに沿ってスムーズに加熱庫９の上方へ流れる。
【００５３】
側面方向に流れた熱風も、前述したように左側側壁３２ｃ及び右側側壁３２ｄが後方から前方に向かって昇るように傾斜しているので、図８（ｂ）に示すように、その側壁によって拡散することなく前方へ流れ、前側側壁３２ａに沿ってスムーズに加熱庫９の上方へ流れるようになる。
【００５４】
さらに前述したように、底面３１の扉体７寄りの前側の幅は、加熱庫９背面寄りの後側の幅よりも狭くなっているので、前方へ向かって狭くなることから、熱風の流れが中央寄りに整流されて加熱庫上方に流れるので循環風吸気口１５に導きやすくなっている。また、後方から前方へ流れる熱風の流速低下が抑えられ、これにより熱風の拡散を抑制することができて、よりスムーズな熱風の循環が行える。
【００５５】
よって、スムーズに加熱庫９の上方へ流れた熱風は、循環風吸気口１５に到達し、上面ダクト１７ａ内を通り、背面ダクト１７ｂを経由して加熱庫９背面に設けられた背面吸気口１８と連通するファンケース吸気口２４ａを通ってファン・ヒーター室２８に送られて、スムーズに循環することで、被調理物がむらなく加熱調理されることになり、調理の仕上りが良好となる。
【００５６】
加熱庫９内で調理をするときは、受け皿３０に焼き網６０を介して間接的に被調理物を載置して調理するだけでなく、受け皿３０に直接的に（直に）被調理物を載置して調理することもある。
【００５７】
図９（ｂ）に示すように受け皿３０に直接、被調理物９０を載置すると、被調理物９０の底面３１と対向する面側、外側上向き凸形状３３ａ（３３ｂ）と内側上向き凸形状３４ａ（３４ｂ）と接する側には熱風が流れにくくなる。
【００５８】
そこで、下向き凸形状３５ａ、３５ｂ、３５ｃを設けることで、被調理物９０の底面３１と対向する面側に空間を作るようにしている。図４に示すように、下向き凸形状３５ａ、３５ｂ、３５ｃの左右方向の幅Ａよりも左風向部材１９ｃと右風向部材１９ｄの左右の範囲Ｂのほうが外側まで拡がっているので、熱風は確実に下向き凸形状３５ａ、３５ｂ、３５ｃに流れ、被調理物９０の底面３１と対向する面側が加熱できるようになる。
【００５９】
また、前述したように、下向き凸形状３５ａの外側に位置する３３ａと下向き凸形状３５ｃの外側に位置する３３ｂは、内側に位置する３４ａ、３４ｂよりも長いので、下向き凸形状３５ａ、３５ｂ、３５ｃを通過した熱風が外側に拡散せず中央寄りに流れて加熱庫上方に流れるので、循環風吸気口１５に導きやすくなりスムーズな熱風の循環が行える。
【００６０】
本発明では、受け皿３０の配置が重要であるので、受け皿３０の前後を間違えて配置された場合、加熱庫９内にうまく収容できなくなるようなポカよけが設けられている。図７（ｂ）に示すように、受け皿３０の前側フランジ３６ａの前端に前垂れ形状３７が設けられている。
【００６１】
前垂れ形状３７は、図３及び図６（ａ）に示すように、受け皿３０が正しく配置されているときは可動レール連結兼用受け皿支持部材１２ａに係合するようになっている。しかし、受け皿３０の前後を間違えて配置したときには、図１０に示すように、扉体７で加熱庫９の前面を閉塞する前に、前垂れ形状３７が上風向部材１９ａに接触する。
【００６２】
それによって扉体７がそれ以上押し込めず、使用者が受け皿３０の配置を間違えていることに気付くことができるので、前垂れ形状３７を設けることにより受け皿３０の誤配置を防止することができる。
【００６３】
以上のように本発明の実施の形態１に係る加熱調理器によれば、受け皿の後側側壁よりも熱風を吹き出す背面吹き出し口の高さを高くして、受け皿の前側側壁を後側側壁よりも高さを高くしたので、熱風が前側側壁によってスムーズに加熱庫上方へ流れるようになり、熱風の循環がスムーズになることで、被調理物がむらなく加熱調理され、調理の仕上りが良好となる。
【００６４】
また、背面吹き出し口の上方に設けられた上風向部材は、受け皿の後側側壁よりも前側に突出し、受け皿の底面方向に向けて傾斜していて熱風が受け皿の中へ流れやすくなっていて、左側側壁及び右側側壁が後方から前方に向かって昇るように傾斜しているので、熱風はその側壁によって拡散することなく前方へ流れ、前側側壁３２に沿ってスムーズに加熱庫の上方へ流れるので、熱風の循環がスムーズになり、被調理物がむらなく加熱調理され、調理の仕上りが良好となる。
【００６５】
なお、本発明の加熱調理器は、加熱庫以外に誘導加熱手段等の加熱手段を備えた形態として説明したが、これに限定されるものではなく、例えば魚焼き器やグリラーのような加熱庫を主とする加熱調理器においても実施可能であり、同様の効果を得ることができるものである。
【符号の説明】
【００６６】
１  本体、２  天板、２ａ  天板枠、２ｂ  トッププレート、２ｃ  排気口、３ａ  左加熱口、３ｂ  右加熱口、３ｃ  中央加熱口、４  前面操作部、４ａ  左加熱口火力調整ノブ、４ｂ  右加熱口火力調整ノブ、４ｃ  中央加熱口火力調整ノブ、５  天板操作部、６ａ  左加熱口用表示部、６ｂ  右加熱口用表示部、６ｃ  総合表示部、７  扉体、７ａ  ハンドル、７ｂ  前面ガラス、７ｃ  窓部、７ｄ  パッキン、８ａ  排気口カバー、８ｂ  排気口カバー、９  加熱庫、１０ａ  左可動レール、１０ｂ  右可動レール、１１ａ  左固定レール、１１ｂ  右固定レール、１２ａ  可動レール連結兼用受け皿支持部材、１２ｂ  可動レール連結兼用受け皿支持部材、１３  ランプヒーター、１４  上ヒーター（第１の加熱手段）、１５  循環風吸気口、１６  触媒、１７ａ  上面ダクト、１７ｂ  背面ダクト、１８  背面吸気口、１９  背面吹き出し口、１９ａ  上風向部材、１９ｂ  下風向部材、１９ｃ  左風向部材、１９ｄ  右風向部材、２０  熱風循環（コンベクション）式加熱手段（第２の加熱手段）、２１  熱風循環用ヒーター、２２  モーター、２３  ファン、２４  ファンケース、２４ａ  ファンケース吸気口、２４ｂ  ファンケース吹き出し口、２５  排気ダクト、２６  モーターケース、２７  ヒーター支持板、２８  ファン・ヒーター室、２９  連通口、３０  受け皿、３１  底面、３２ａ  前側側壁、３２ｂ  後側側壁、３２ｃ  左側側壁、３２ｄ  右側側壁、３３ａ  外側上向き凸形状、３３ｂ  外側上向き凸形状、３４ａ  内側上向き凸形状、３４ｂ  内側上向き凸形状、３５ａ  下向き凸形状、３５ｂ  下向き凸形状、３５ｃ  下向き凸形状、３６ａ  前側フランジ、３６ｂ  後側フランジ、３６ｃ  左側フランジ、３６ｄ  右側フランジ、３７  前垂れ形状、３８ａ  円形下向き凸形状、３８ｂ  円形下向き凸形状、４１  電源スイッチ、５１  操作スイッチ、６０  焼き網、７１  手掛け部、９０  被調理物、１００  加熱調理器。
【図１】
2015232422.tif 000003
【図２】
2015232422.tif 000004
【図３】
2015232422.tif 000005
【図４】
2015232422.tif 000006
【図５】
2015232422.tif 000007
【図６】
2015232422.tif 000008
【図７】
2015232422.tif 000009
【図８】
2015232422.tif 000010
【図９】
2015232422.tif 000011
【図１０】
2015232422.tif 000012
【図１１】
2015232422.tif 000013